(57)【特許請求の範囲】
【請求項１】
物理ランダムアクセスチャネルＰＲＡＣＨに第１マザーコードセット、第２マザーコードセット、および予め設定された信号対雑音比ＳＮＲ閾値を設定することと、
前記第１マザーコードセットをユーザ機器ＵＥに送信し、前記ＵＥから送信されたＰＲＡＣＨ信号を受信することと、
前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得することと、
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定することと、を含む、
干渉による誤検出を識別する検出方法。
【請求項２】
前記第１マザーコードセットは、マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数である、
請求項１に記載の方法。
【請求項３】
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定することは、
前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定することと、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定することと、を含む、
請求項１に記載の方法。
【請求項４】
前記ＰＲＡＣＨ信号が誤検出を引き起こす干渉信号であると確定すると、
検出結果が誤検出であると確定し、前記誤検出の検出結果をサーバに報告することを更に含む、
請求項３に記載の方法。
【請求項５】
前記ＰＲＡＣＨ信号が正常信号であると確定すると、
検出結果が非誤検出であると確定し、前記非誤検出の検出結果をメッセージにパッケージし、下りチャネルを介してブロードキャスト送信を行うことを更に含む、
請求項３に記載の方法。
【請求項６】
前記第１マザーコードセットに基づいて前記ＰＲＡＣＨ信号が有効なＰＲＡＣＨ信号であると確定することは、
前記ＰＲＡＣＨ信号と前記第１マザーコードセットとの関連検出を行い、第１時間領域関連値系列を取得することと、
前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定することと、
を含む、請求項１に記載の方法。
【請求項７】
前記ＰＲＡＣＨ信号および前記第２マザーコードセットを検出し、予め設定されたピーク閾値よりも大きい値に対応するＰＲＡＣＨ信号のピークの信号対雑音比ＳＮＲを取得することは、
前記ＰＲＡＣＨ信号と前記第２マザーコードセットとの関連検出を行い、第２時間領域関連値系列を取得することと、
前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出することと、を含む、
請求項６に記載の方法。
【請求項８】
前記ＰＲＡＣＨに第１マザーコードセットおよび第２マザーコードセットを設定することは、
Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定することと、
現在のセルに隣接するＫ−１個のセルの第１マザーコードセットの集合に基づき、前記現在のセルに対応する第２マザーコードセットを取得することと、を含み、
Ｋは３以上の正整数である、
請求項１に記載の方法。
【請求項９】
前記ＰＲＡＣＨに第１マザーコードセットおよび第２マザーコードセットを設定することは、
予め設定された時間帯内で前記ＰＲＡＣＨに第１マザーコードセットおよび第２マザーコードセットをランダムに設定することを含む、
請求項１から８のいずれか１項に記載の方法。
【請求項１０】
物理ランダムアクセスチャネルＰＲＡＣＨに第１マザーコードセット、第２マザーコードセット、および予め設定された信号対雑音比ＳＮＲ閾値を設定するように構成される設定モジュールと、
前記第１マザーコードセットをユーザ機器ＵＥに送信し、前記ＵＥから送信されたＰＲＡＣＨ信号を受信するように構成される送受信モジュールと、
前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得するように構成される検出モジュールと、
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定するように構成される確定モジュールと、を備える、
装置。
【請求項１１】
前記第１マザーコードセットは、マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数である、
請求項１０に記載の装置。
【請求項１２】
前記確定モジュールは、
前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定し、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定するように構成される、
請求項１０に記載の装置。
【請求項１３】
前記送受信モジュールは、更に、検出結果が誤検出であると確定し、前記誤検出の検出結果をサーバに報告するように構成される、
請求項１２に記載の装置。
【請求項１４】
前記送受信モジュールは、更に、検出結果が非誤検出であると確定し、前記非誤検出の検出結果をメッセージにパッケージし、下りチャネルを介してブロードキャスト送信を行うように構成される、
請求項１２に記載の装置。
【請求項１５】
前記ＰＲＡＣＨ信号と前記第１マザーコードセットとの関連検出を行い、第１時間領域関連値系列を取得し、
前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定するように構成される、判断モジュールを更に備える、
請求項１０に記載の装置。
【請求項１６】
前記判断モジュールは、更に、前記ＰＲＡＣＨ信号と前記第２マザーコードセットとの関連検出を行い、第２時間領域関連値系列を取得し、
前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出するように構成される、
請求項１５に記載の装置。
【請求項１７】
前記設定モジュールは、Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定し、
現在のセルに隣接するＫ−１個のセルの第１マザーコードセットの集合に基づき、前記現在のセルに対応する第２マザーコードセットを取得するように構成され、
Ｋは３以上の正整数である、
請求項１０に記載の装置。
【請求項１８】
前記設定モジュールは、予め設定された時間帯内で前記ＰＲＡＣＨに第１マザーコードセットおよび第２マザーコードセットをランダムに設定するように構成される、
請求項１０から１７のいずれか１項に記載の装置。
【請求項１９】
インターフェース、バス、メモリ、及びプロセッサを備え、前記インターフェース、メモリおよび前記プロセッサは、前記バスを介して接続され、前記メモリは命令を記憶するように構成され、前記プロセッサは、前記命令を読み取ることにより、
物理ランダムアクセスチャネルＰＲＡＣＨに第１マザーコードセット、第２マザーコードセット、および予め設定された信号対雑音比ＳＮＲ閾値を設定し、
前記第１マザーコードセットをユーザ機器ＵＥに送信し、前記ＵＥから送信されたＰＲＡＣＨ信号を受信し、
前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得し、
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定する、
基地局。
【請求項２０】
前記第１マザーコードセットは、マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数である、
請求項１９に記載の基地局。
【請求項２１】
前記プロセッサは、前記命令を読み取ることにより、
前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定し、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定する、
請求項１９に記載の基地局。
【請求項２２】
前記プロセッサは、更に前記命令を読み取ることにより、
検出結果が誤検出であると確定し、前記誤検出の検出結果をサーバに報告する、
請求項２１に記載の基地局。
【請求項２３】
前記プロセッサは、更に前記命令を読み取ることにより、
検出結果が非誤検出であると確定し、前記非誤検出の検出結果をメッセージにパッケージし、下りチャネルを介してブロードキャスト送信を行う、
請求項２１に記載の基地局。
【請求項２４】
前記プロセッサは、前記命令を読み取ることにより、
前記ＰＲＡＣＨ信号と前記第１マザーコードセットとの関連検出を行い、第１時間領域関連値系列を取得し、
前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定する、
請求項１９に記載の基地局。
【請求項２５】
前記プロセッサは、更に前記命令を読み取ることにより、
前記ＰＲＡＣＨ信号と前記第２マザーコードセットとの関連検出を行い、第２時間領域関連値系列を取得し、
前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出する、
請求項２４に記載の基地局。
【請求項２６】
前記プロセッサは、前記命令を読み取ることにより、
Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定し、
現在のセルに隣接するＫ−１個のセルの第１マザーコードセットの集合に基づき、前記現在のセルに対応する第２マザーコードセットを取得し、
Ｋは３以上の正整数である、
請求項１９に記載の基地局。
【請求項２７】
前記プロセッサは、前記命令を読み取ることにより、
予め設定された時間帯内で前記ＰＲＡＣＨに第１マザーコードセットおよび第２マザーコードセットをランダムに設定する、
請求項１９から２６のいずれか１項に記載の基地局。
【請求項２８】
請求項１から９のいずれか１項に記載の方法を実行するように構成されるコンピュータ実行可能な命令が記憶されたコンピュータ可読記憶媒体。
【発明の詳細な説明】
【技術分野】
【０００１】
本開示は、無線通信の技術分野に関し、例えば、干渉による誤検出を識別する検出方法、装置および基地局に関する。
【背景技術】
【０００２】
ロングタームイボリューション（Ｌｏｎｇ  Ｔｅｒｍ  Ｅｖｏｌｕｔｉｏｎ、ＬＴＥ）における物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）は、ユーザ機器（Ｕｓｅｒ  Ｅｑｕｉｐｍｅｎｔ、ＵＥ）のランダムアクセスに使用される。実際の応用において、基地局によるＰＲＡＣＨの検出では、誤検出が発生しやすく、誤検出を引き起こす原因は様々であり、要因の１つは信号干渉である。
【０００３】
通常、誤検出の低減に関わる方法は、ＰＲＡＣＨの検出閾値を上げ、ＵＥのＰＲＡＣＨにアクセスする初期電力を上げることであるが、閾値を上げると、基地局のＰＲＡＣＨチャネルに対する見逃し率が向上し、ＵＥのアクセスの成功率が低減し、上り帯域の無駄遣いを招くだけでなく、システム容量も低下してしまう。
【発明の概要】
【発明が解決しようとする課題】
【０００４】
上記事情に鑑み、本開示の実施例は、ＰＲＡＣＨの検出閾値を上げる必要がなく、干渉による誤検出をある程度抑制でき、誤検出を低減するとともにユーザのアクセス成功率を低減しないことを確保する、干渉による誤検出を識別する検出方法、装置および基地局の提供を図る。
【課題を解決するための手段】
【０００５】
本開示は、
物理ランダムアクセスチャネルＰＲＡＣＨに第１マザーコードセット、第２マザーコードセット、および予め設定された信号対雑音比ＳＮＲ閾値を設定することと、
前記第１マザーコードセットをユーザ機器ＵＥに送信し、前記ＵＥから送信されたＰＲＡＣＨ信号を受信することと、
前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得することと、
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定することと、を含む、
干渉による誤検出を識別する検出方法を提供する。
【０００６】
上記態様において、前記第１マザーコードセットは、マザーコード系列におけるＮ個のマザーコードを含み、前記第２マザーコードセットは、前記マザーコード系列における前記Ｎ個のマザーコード以外の他のＭ個のマザーコードを含み、前記ＮはＭよりも小さく、前記Ｎ、Ｍは自然数である。
【０００７】
上記態様において、前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定することは、
前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定することと、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定することと、を含む。
【０００８】
上記態様において、前記ＰＲＡＣＨ信号が誤検出を引き起こす干渉信号であると確定すると、前記方法は、
検出結果が誤検出であると確定し、前記誤検出の検出結果をサーバに報告することを更に含む。
【０００９】
上記態様において、前記ＰＲＡＣＨ信号が正常信号であると確定すると、前記方法は、
前記非誤検出の検出結果をメッセージにパッケージし、下りチャネルを介してブロードキャスト送信を行うことを更に含む。
【００１０】
上記態様において、前記第１マザーコードセットに基づいて前記ＰＲＡＣＨ信号が有効なＰＲＡＣＨ信号であると確定することは、
前記ＰＲＡＣＨ信号と前記第１マザーコードセットとの関連検出を行い、第１時間領域関連値系列を取得することと、
前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定することと、を含む。
【００１１】
上記態様において、前記ＰＲＡＣＨ信号および前記第２マザーコードセットを検出し、予め設定されたピーク閾値よりも大きい値に対応するＰＲＡＣＨ信号のピークの信号対雑音比ＳＮＲを取得することは、
前記ＰＲＡＣＨ信号と前記第２マザーコードセットとの関連検出を行い、第２時間領域関連値系列を取得することと、
前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出することと、を含む。
【００１２】
上記態様において、前記ＰＲＡＣＨに第１マザーコードセットおよび第２マザーコードセットを設定することは、
Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定することと、
現在のセルに隣接するＫ−１個のセルの第１マザーコードセットの集合に基づき、前記現在のセルに対応する第２マザーコードセットを取得することと、を含み、
Ｋは３以上の正整数である。
【００１３】
上記態様において、前記ＰＲＡＣＨに第１マザーコードセットおよび第２マザーコードセットを設定することは、
予め設定された時間帯内で前記ＰＲＡＣＨに第１マザーコードセットおよび第２マザーコードセットをランダムに設定することを含む。
【００１４】
本開示は、
物理ランダムアクセスチャネルＰＲＡＣＨに第１マザーコードセット、第２マザーコードセット、および予め設定された信号対雑音比ＳＮＲ閾値を設定するように構成される設定モジュールと、
前記第１マザーコードセットをユーザ機器ＵＥに送信し、前記ＵＥから送信されたＰＲＡＣＨ信号を受信するように構成される送受信モジュールと、
前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得するように構成される検出モジュールと、
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定するように構成される確定モジュールと、を備える装置を提供する。
【００１５】
上記態様において、前記第１マザーコードセットは、マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数である。
【００１６】
上記態様において、前記確定モジュールは、前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定し、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定するように構成されてもよい。
【００１７】
上記態様において、前記送受信モジュールは、更に、検出結果が誤検出であると確定し、前記誤検出の検出結果をサーバに報告するように構成される。
【００１８】
上記態様において、前記送受信モジュールは、更に、検出結果が非誤検出であると確定し、前記非誤検出の検出結果をメッセージにパッケージし、下りチャネルを介してブロードキャスト送信を行うように構成される。
【００１９】
上記態様において、前記装置は、
前記ＰＲＡＣＨ信号と前記第１マザーコードセットとの関連検出を行い、第１時間領域関連値系列を取得し、
前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定するように構成される判断モジュールを更に備える。
【００２０】
上記態様において、前記判断モジュールは、更に、前記ＰＲＡＣＨ信号と前記第２マザーコードセットとの関連検出を行い、第２時間領域関連値系列を取得し、
前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出するように構成される。
【００２１】
上記態様において、前記設定モジュールは、Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定し、
現在のセルに隣接するＫ−１個のセルの第１マザーコードセットの集合に基づき、前記現在のセルに対応する第２マザーコードセットを取得するように構成されてもよい。
Ｋは３以上の正整数である。
【００２２】
上記態様において、前記設定モジュールは、予め設定された時間帯内で前記ＰＲＡＣＨに第１マザーコードセットおよび第２マザーコードセットをランダムに設定するように構成されてもよい。
【００２３】
本開示は、インターフェース、バス、メモリ、及びプロセッサを備え、前記インターフェース、メモリおよび前記プロセッサは前記バスを介して接続され、前記メモリは命令を記憶するように構成され、前記プロセッサは、前記命令を読み取ることにより、
物理ランダムアクセスチャネルＰＲＡＣＨに第１マザーコードセット、第２マザーコードセット、および予め設定された信号対雑音比ＳＮＲ閾値を設定し、
前記第１マザーコードセットをユーザ機器ＵＥに送信し、前記ＵＥから送信されたＰＲＡＣＨ信号を受信し、
前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得し、
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定する、基地局を提供する。
【００２４】
上記態様において、前記第１マザーコードセットは、マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数である。
【００２５】
上記態様において、前記プロセッサは、前記命令を読み取ることにより、
前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定し、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定する。
【００２６】
上記態様において、前記プロセッサは、更に前記命令を読み取ることにより、
検出結果が誤検出であると確定し、前記誤検出の検出結果をサーバに報告する。
【００２７】
上記態様において、前記プロセッサは、更に前記命令を読み取ることにより、
検出結果が非誤検出であると確定し、前記非誤検出の検出結果をメッセージにパッケージ、て下りチャネルを介してブロードキャスト送信を行う。
【００２８】
上記態様において、前記プロセッサは、前記命令を読み取ることにより、
前記ＰＲＡＣＨ信号と前記第１マザーコードセットとの関連検出を行い、第１時間領域関連値系列を取得し、
前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定する。
【００２９】
上記態様において、前記プロセッサは、更に前記命令を読み取ることにより、
前記ＰＲＡＣＨ信号と前記第２マザーコードセットとの関連検出を行い、第２時間領域関連値系列を取得し、
前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出する。
【００３０】
上記態様において、前記プロセッサは、前記命令を読み取ることにより、
Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定し、
現在のセルに隣接するＫ−１個のセルの第１マザーコードセットの集合に基づき、前記現在のセルに対応する第２マザーコードセットを取得し、
Ｋは３以上の正整数である。
【００３１】
上記態様において、前記プロセッサは、前記命令を読み取ることにより、
予め設定された時間帯内で前記ＰＲＡＣＨに第１マザーコードセットおよび第２マザーコードセットをランダムに設定する。
【００３２】
本開示の実施例は、上記方法を実行するように構成されるコンピュータ実行可能な命令が記憶されたコンピュータ可読記憶媒体を更に提供する。
【発明の効果】
【００３３】
本開示の実施例に係る、干渉による誤検出を識別する検出方法、装置および基地局は、物理ランダムアクセスチャネルＰＲＡＣＨに第１マザーコードセット、第２マザーコードセット、および予め設定された信号対雑音比ＳＮＲ閾値を設定することにより、前記第１マザーコードセットをユーザ機器ＵＥに送信し、前記ＵＥから送信されたＰＲＡＣＨ信号を受信し、前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得し、前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定する。関連技術と比べ、本開示は、配置されていないマザーコードおよび受信信号を検出することにより、誤検出であるか否かを判断し、ランダムアクセスプリアンブル系列の間の関連性が低く、干渉と複数のランダムアクセスプリアンブル系列との関連性が高いという原理によって干渉による誤検出を識別し、ＰＲＡＣＨ信号のピークＳＮＲの検出閾値を上げる必要がなく、干渉による誤検出をある程度抑制でき、ＵＥのアクセスの成功率を効果的に向上させ、上り帯域の無駄遣いを回避し、システム容量を節約することができる。
【図面の簡単な説明】
【００３４】
【図１】本開示の干渉による誤検出を識別する検出方法の実施例１のフローチャートである。
【図２】本開示の干渉による誤検出を識別する検出方法の実施例２のフローチャートである。
【図３】本開示の干渉による誤検出を識別する検出方法の、マルチセルを同一周波数でネットワーク構築した模式図１である。
【図４】本開示の干渉による誤検出を識別する検出方法の、マルチセルを同一周波数でネットワーク構築した模式図２である。
【図５】本開示の干渉による誤検出を識別する検出方法のシーン１のデータ図１である。
【図６】本開示の干渉による誤検出を識別する検出方法のシーン１のデータ図２である。
【図７ａ】本開示の干渉による誤検出を識別する検出方法のシーン１のデータ図３である。
【図７ｂ】本開示の干渉による誤検出を識別する検出方法のシーン１のデータ図４である。
【図７ｃ】本開示の干渉による誤検出を識別する検出方法のシーン１のデータ図５である。
【図８】本開示の干渉による誤検出を識別する検出方法のシーン２のデータ図である。
【図９】本開示の装置の実施例の構造模式図である。
【図１０】本開示の基地局の実施例の構造模式図である。
【発明を実施するための形態】
【００３５】
以下、本開示の実施例における図面を参照しながら、本開示の実施例における技術案について明確かつ完全に説明する。
【００３６】
図１は、本開示の干渉による誤検出を識別する検出方法の実施例１のフローチャートであり、図１に示すように、本開示の実施例に係る干渉による誤検出を識別する検出方法は、干渉による誤検出を識別する検出装置に適用でき、該装置は基地局であってもよく、該方法は以下のようなステップを含む。
【００３７】
ステップ１０１において、物理ランダムアクセスチャネルＰＲＡＣＨに第１マザーコードセット、第２マザーコードセット、および予め設定された信号対雑音比ＳＮＲ閾値を設定する。
【００３８】
基地局は、物理ランダムアクセスチャネルＰＲＡＣＨのマザーコード系列に基づき、ＰＲＡＣＨランダムに第１マザーコードセット、第２マザーコードセットを設定し、且つ、基地局は予め設定されたＳＮＲ閾値を設定する。ここで、前記第１マザーコードセットは、前記マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数であり、前記第１マザーコードセットはＵＥのランダムアクセスに使用され、前記第２マザーコードセットは、ＵＥのフィードバック信号に対して誤検出の検出を行うために使用される。
【００３９】
予め設定されたＳＮＲ閾値は、実際の要求に応じて設定でき、ここでは制限しない。
【００４０】
基地局は、予め設定された時間帯内で前記ＰＲＡＣＨのマザーコード系列に基づいてＰＲＡＣＨランダムに第１マザーコードセットおよび第２マザーコードセットを設定することができる。干渉も時間とともに変化するため、基地局は、一定の時間毎にＰＲＡＣＨのマザーコード系列の中でＰＲＡＣＨランダムに第１マザーコードセットおよび第２マザーコードセットを再設定してもよく、これにより、誤検出の検出をより全面的に行うことができる。
【００４１】
ＬＴＥプロトコルにおいて、ＰＲＡＣＨは８３８種のマザーコードを有し、マザーコード間の関連性がいずれも低く、基地局によって受信データから検出されたＰＲＡＣＨ信号が基地局の指示に従ってＵＥによってフィードバックされるものであれば、基地局によって配置されたマザーコードとの関連性は必ず高く、配置されていないマザーコードとの関連性は必ず低い。一方、干渉信号である場合、マザーコードがいずれもＺＣ系列であり、性質が類似するため、干渉は複数のマザーコードとの関連性が比較的高い可能性がある。
【００４２】
ここで、ＺＣ系列はＺａｄｏｆｆおよびＣｈｕという二人によって提出され、ＣＡＺＡＣ系列の１種であり、つまり、一定振幅で、ゼロ自己関連系列であり、良好な自己関連性を有し、且つ、振幅が安定する。プライマリ同期信号は、ＵＥが検出するために、この系列を送信同期信号として採用する。
【００４３】
第１マザーコードセット（すなわち、ＰＲＡＣＨにおけるプリアンブル系列）は、ＺＣ系列を循環シフトすることによって生成され、それらは１つまたは複数のＺＣ系列のルート系列に由来し、系列長が８３９であり、ＰＲＡＣＨにおけるサブキャリアの間隔が１．２５Ｋである。１つのセルに６４個のプリアンブル系列を有し、ネットワーク側にセル内で使用可能なプリアンブル系列を配置し、ＳＩＢ２におけるパラメータｒｏｏｔＳｅｑｕｅｎｃｅＩｎｄｅｘ（０〜８３７の間で値を取る）によって１つ目のＺＣルート系列をブロードキャストし、一定の規則でルート系列を循環シフトし、後に対応するＰＲＡＣＨプリアンブル系列を生成する。
【００４４】
ＰＲＡＣＨの上り伝送の非同期および異なる伝送遅延のため、対応する循環シフトの間には十分な間隔が必要となり、必ずしも全ての循環シフトが直交系列として使用できるわけではなく、使用可能な循環シフトのプリアンブル系列の数が６４個を満たさない場合、一定の規則で次のＺＣルート系列を選択し、循環シフトによって新たなＰＲＡＣＨプリアンブル系列を生成する。
【００４５】
例えば、第１マザーコードセットには、ＰＲＡＣＨのマザーコード系列におけるＮ＝３つのマザーコードが含まれ、｛４３６，４３７，４３８｝であり、第２マザーコードセットには、ＰＲＡＣＨのマザーコード系列における、第１マザーコードセット中の３つのマザーコード以外の他のＭ＝６つのマザーコードが含まれ、｛１４，２２，３０，５４８，６２７｝である。ＮおよびＭの値は、実際の要求に応じて設定でき、ここでは制限しない。
【００４６】
ステップ１０２において、前記第１マザーコードセットをユーザ機器ＵＥに送信し、前記ＵＥから送信されたＰＲＡＣＨ信号を受信する。
【００４７】
基地局は、ステップ１０１に設定された第１マザーコードセットをＵＥに送信し、ＵＥは該第１マザーコードセットからマザーコードをランダムに選別し、選別されたマザーコードに基づいて基地局とランダムアクセスを行い、すなわち、ＵＥはフィードバックされたＰＲＡＣＨ信号を基地局に送信し、基地局はＵＥから送信されたＰＲＡＣＨ信号を受信する。
【００４８】
ステップ１０３において、前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得する。
【００４９】
本ステップの前に、基地局はＵＥから送信されたＰＲＡＣＨ信号を受信した後、第１マザーコードセットに基づいて受信されたＰＲＡＣＨ信号が有効なＰＲＡＣＨ信号であるか否かを判断する。基地局は、まず、第１マザーコードセットに基づいて受信されたＰＲＡＣＨ信号と関連検出を行い、第１時間領域関連値系列を取得する。その後、第１時間領域関連値系列における各関連値を、それぞれ予め設定されたピーク閾値と比較し、第１時間領域関連値系列に予め設定されたピーク閾値よりも大きい関連値が存在するか否かを判断し、第１時間領域関連値系列に予め設定されたピーク閾値よりも大きい関連値が存在すれば、ＰＲＡＣＨ信号が有効なＰＲＡＣＨ信号であると確定し、第１時間領域関連値系列に予め設定されたピーク閾値よりも大きい関連値が存在しなければ、ＰＲＡＣＨ信号が非有効なＰＲＡＣＨ信号であると確定する。
【００５０】
第１マザーコードセットに基づいてＰＲＡＣＨ信号が有効なＰＲＡＣＨ信号であると確定した場合、更に、該ＰＲＡＣＨ信号と第２マザーコードセットとの関連検出を行い、予め設定されたピーク閾値よりも大きい値に対応するＰＲＡＣＨ信号のピークの信号対雑音比ＳＮＲを算出する。基地局は、まず、ＰＲＡＣＨ信号と第２マザーコードセットとの関連検出を行い、第２時間領域関連値系列を取得する。その後、第２時間領域関連値系列における各関連値を、それぞれ予め設定されたピーク閾値と比較し、第２時間領域関連値系列に予め設定されたピーク閾値よりも大きい関連値が存在するか否かを判断し、第２時間領域関連値系列に予め設定されたピーク閾値よりも大きい関連値が存在すれば、予め設定されたピーク閾値よりも大きい関連値に対応するＰＲＡＣＨ信号のピークＳＮＲを計算して得て、第２時間領域関連値系列に予め設定されたピーク閾値よりも大きい関連値が存在しなければ、関連ＳＮＲを計算しない。
【００５１】
最終的には、該ＰＲＡＣＨ信号のピークＳＮＲを取得する。
【００５２】
予め設定されたピーク閾値は、実際の要求に応じて設定でき、ここでは制限しない。
【００５３】
ここで、関連検出の方法は以下のとおりである。基地局は、受信されたＵＥから送信されたＰＲＡＣＨ信号とローカルマザーコード周波数領域系列の複素共役点とを乗算した後、時間領域まで逆フーリエ変換してノルムを求め、１つの時間領域関連値系列を取得し、該系列の各点を１つのＰＲＡＣＨ信号のピークの予め設定された検出閾値と比較し、予め設定された検出閾値よりも大きい点は、予め設定された検出閾値を通過したＰＲＡＣＨ信号のピークと認定される。
【００５４】
ＳＮＲの計算方法は以下のとおりである。関連検出で得られた時間領域関連値系列において、ＰＲＡＣＨ信号のピーク点を除去して雑音系列を形成し、雑音系列によって雑音電力を推定し、その後、ＰＲＡＣＨ信号のピーク点の電力を雑音電力で割ると、検出されたＰＲＡＣＨ信号のピークに対応するＳＮＲを取得する。
【００５５】
ステップ１０４において、前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定する。
【００５６】
基地局は、得られたＰＲＡＣＨ信号のピークＳＮＲに基づいて前記予め設定されたＳＮＲ閾値と比較して判断し、前記ＰＲＡＣＨ信号のピークＳＮＲが予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定し、すなわち、ＰＲＡＣＨ信号を検出した検出結果が正常で実在したものであり、誤検出ではないと判定し、すなわち、前記ＰＲＡＣＨ信号が誤検出を引き起こす干渉信号ではないと確定する。その後、基地局は、非誤検出の検出結果をメッセージにパッケージし、下りチャネルを介してブロードキャスト送信を行い、該ＰＲＡＣＨ信号を送信したＵＥは、該メッセージをセンシングすると、プロトコルのフローに従って後のアクセスフローを続行し、すなわち、基地局は、正常な通信のために、該ＵＥに上り帯域を割り当てる。前記ＰＲＡＣＨ信号のピークＳＮＲが前記予め設定されたＳＮＲ閾値よりも小さければ、前記ＰＲＡＣＨ信号が干渉信号であると確定し、すなわち、ＰＲＡＣＨ信号を検出した検出結果が異常で、誤検出であると判定し、すなわち、前記ＰＲＡＣＨ信号が誤検出を引き起こす干渉信号であると確定する。その後、基地局は、ＰＲＡＣＨ信号が検出されていないと認定し、誤検出の検出結果をサーバに報告し、サーバによって誤検出の検出結果を統計することで、基地局システムのＰＲＡＣＨ信号の干渉レベルを反映し、その後、基地局は次のＰＲＡＣＨ信号の検出を続行する。
【００５７】
本開示の実施例に係る干渉による誤検出を識別する検出方法は、基地局が物理ランダムアクセスチャネルＰＲＡＣＨに第１マザーコードセット、第２マザーコードセット、および予め設定された信号対雑音比ＳＮＲ閾値を設定することにより、前記第１マザーコードセットをユーザ機器ＵＥに送信し、前記ＵＥから送信されたＰＲＡＣＨ信号を受信し、前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得し、前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定する。関連技術と比べ、本開示は、配置されていないマザーコードおよび受信されたＰＲＡＣＨ信号を検出することにより、誤検出であるか否かを判断し、ランダムアクセスプリアンブル系列の間の関連性が低く、干渉と複数のランダムアクセスプリアンブル系列との関連性が高いという方式によって干渉による誤検出を識別し、ＰＲＡＣＨ信号のピークＳＮＲの検出閾値を上げる必要がなく、干渉による誤検出をある程度抑制でき、ＵＥのアクセスの成功率を効果的に向上させ、上り帯域の無駄遣いを回避し、システム容量を節約することができる。
【００５８】
図２は、本開示の干渉による誤検出を識別する検出方法の実施例２のフローチャートであり、図２に示すように、本開示の実施例に係る干渉による誤検出を識別する検出方法は装置に適用でき、該装置は基地局であってもよく、該方法は以下のようなステップを含んでもよい。
【００５９】
ステップ２０１において、ＰＲＡＣＨに第１マザーコードセット、第２マザーコードセットおよび予め設定された信号対雑音比ＳＮＲ閾値を設定する。
【００６０】
基地局は、予め設定された時間帯内でＰＲＡＣＨのマザーコード系列に基づいてＰＲＡＣＨランダムに第１マザーコードセット、第２マザーコードセットを設定し、且つ、基地局は予め設定されたＳＮＲ閾値を設定する。ここで、前記第１マザーコードセットは、前記マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数である。前記第１マザーコードセットはＵＥのランダムアクセスに使用され、前記第２マザーコードセットは、ＵＥのフィードバック信号に対して誤検出の検出を行うために使用される。
【００６１】
予め設定されたＳＮＲ閾値は、実際の要求に応じて設定でき、ここでは制限しない。
【００６２】
図３は、本開示の干渉による誤検出を識別する検出方法のマルチセルを同一周波数でネットワーク構築した模式図１であり、図３に示すように、複数のセルを同一周波数でネットワーク構築した場合、セルの基本配置は次のとおりであり、時分割復信（Ｔｉｍｅ  Ｄｉｖｉｓｉｏｎ  Ｄｕｐｌｅｘｉｎｇ、ＴＤＤ）モードで、サブフレーム配合比が２であり、ＰＲＡＣＨがＦｏｒｍａｔ０に配置され、ＮＣＳ  Ｃｏｎｆｉｇｕｒａｔｉｏｎが６で、この９つのセルのＰＲＡＣＨの時間領域リソースの間が互いにずれ、基地局によってＵＥに配置されたランダムアクセスのための第１マザーコードセット（すなわち、物理ルート系列インデックス）、および誤検出のための第２マザーコードセットは、いずれも異なるように設定され、表１に示すとおりである。
【００６３】
【表１】
0006790277.tif 000002
【００６４】
本ステップにおいて、基地局は、Ｋ個のセルを同一周波数でネットワーク構築した条件で、前記ＰＲＡＣＨのマザーコード系列に基づいて前記Ｋ個のセルの第１マザーコードセットを設定することができ、前記Ｋ個のセルの第１マザーコードセット中には重複したマザーコードが含まれず、前記Ｋは３以上の正整数であり、現在のセルに隣接するＫ−１個のセルの第１マザーコードセットの集合に基づき、前記現在のセルに対応する第２マザーコードセットを取得する。ここで、前記第１マザーコードセットは、前記マザーコード系列におけるＮ個のマザーコードを含み、前記第２マザーコードセットは、前記マザーコード系列における、前記Ｎ個のマザーコード以外の他のＭ個のマザーコードを含み、前記ＮはＭよりも小さく、前記Ｎ、Ｍは自然数である。
【００６５】
例えば、図４は、本開示の干渉による誤検出を識別する検出方法のマルチセルを同一周波数でネットワーク構築した模式図２であり、図４に示すように、基地局は、Ｋ＝３つのセルを同一周波数でネットワーク構築した場合、セルの間は、隣接セルのＰＲＡＣＨ時間周波数リソース、第１マザーコードセットおよび第２マザーコードセットを互いに知ることができる。
【００６６】
本セルは、本開示の方法により隣接セルのＰＲＡＣＨ信号情報の電力干渉レベルを検出することができ、この３つのセルは、いずれもＴＤＤで、サブフレーム配合比が２であり、ＰＲＡＣＨがＦｏｒｍａｔ０に配置され、ＮＣＳ  Ｃｏｎｆｉｇｕｒａｔｉｏｎが６である。本セルの基地局でＵＥに配置されたランダムアクセスのための第１マザーコードセット（すなわち、物理ルート系列インデックス）および誤検出のための第２マザーコードセットは、表２に示すとおりである。
【００６７】
【表２】
0006790277.tif 000003
【００６８】
表２に示すように、この３つのセルのＰＲＡＣＨの時間領域リソースは互いにずれ、ＵＥに配置されたランダムアクセスのための第１マザーコードセットは異なるように設定され、各セルはいずれも隣接する２つのセルのそれぞれの第１マザーコードセットの集合を、誤検出のための第２マザーコードリソースとする。セル１を例とし、セル１の第１マザーコードセットは｛７１０，７１１，７１２｝に配置されると、第２マザーコードセットは、セル２の第１マザーコードセット｛２１７，２１８，２１９｝とセル３の第１マザーコードセット｛１８，１９，２０｝との集合に配置され、すなわち、｛１８，１９，２０，２１７，２１８，２１９｝である。
【００６９】
ステップ２０２において、前記第１マザーコードセットをユーザ機器ＵＥに送信し、前記ＵＥから送信されたＰＲＡＣＨ信号を受信する。
【００７０】
基地局は、ステップ２０１で設定された第１マザーコードセットをＵＥに送信し、ＵＥは該第１マザーコードセットからマザーコードをランダムに選別し、選別されたマザーコードに基づいて基地局とランダムアクセスを行い、すなわち、ＵＥはフィードバックされたＰＲＡＣＨ信号を基地局に送信し、基地局はＵＥから送信されたＰＲＡＣＨ信号を受信する。
【００７１】
ステップ２０３において、前記ＰＲＡＣＨ信号が有効なＰＲＡＣＨ信号であるか否かを判断する。
【００７２】
基地局は、ＵＥから送信されたＰＲＡＣＨ信号を受信すると、第１マザーコードセットに基づいて受信されたＰＲＡＣＨ信号が有効なＰＲＡＣＨ信号であるか否かを判断し、すなわち、関連検出を行う。基地局は、まず、第１マザーコードセットに基づいて受信されたＰＲＡＣＨ信号と関連検出を行い、第１時間領域関連値系列を取得する。その後、第１時間領域関連値系列における各関連値を、それぞれ予め設定されたピーク閾値と比較し、第１時間領域関連値系列に予め設定されたピーク閾値よりも大きい関連値が存在するか否かを判断し、第１時間領域関連値系列に予め設定されたピーク閾値よりも大きい関連値が存在しなければ、ＰＲＡＣＨ信号が非有効なＰＲＡＣＨ信号であると確定し、すなわち、ステップ２０４を実行する。第１時間領域関連値系列に予め設定されたピーク閾値よりも大きい関連値が存在すれば、ＰＲＡＣＨ信号が有効なＰＲＡＣＨ信号であると確定し、すなわち、ステップ２０５を実行する。
【００７３】
ステップ２０４において、現在の処理フローを終了し、次の処理タスクを開始する。
【００７４】
基地局は、現在の処理フローを終了し、次の検出の処理タスクを開始することを確定する。
【００７５】
ステップ２０５において、前記ＰＲＡＣＨ信号および前記第２マザーコードセットを検出し、予め設定されたピーク閾値よりも大きい値に対応するＰＲＡＣＨ信号のピークの信号対雑音比ＳＮＲを取得する。
【００７６】
基地局は、第１マザーコードセットに基づいてＰＲＡＣＨ信号が有効なＰＲＡＣＨ信号であると確定した場合、更に、該ＰＲＡＣＨ信号と第２マザーコードセットとの関連検出を行い、予め設定されたピーク閾値よりも大きい値に対応するＰＲＡＣＨ信号のピークの信号対雑音比ＳＮＲを算出する。基地局は、まず、ＰＲＡＣＨ信号と第２マザーコードセットとの関連検出を行い、第２時間領域関連値系列を取得する。その後、第２時間領域関連値系列における各関連値を、それぞれ予め設定されたピーク閾値と比較し、第２時間領域関連値系列に予め設定されたピーク閾値よりも大きい関連値が存在するか否かを判断し、第２時間領域関連値系列に予め設定されたピーク閾値よりも大きい関連値が存在すれば、予め設定されたピーク閾値よりも大きい関連値に対応するＰＲＡＣＨ信号のピークＳＮＲを計算して得て、第２時間領域関連値系列に予め設定されたピーク閾値よりも大きい関連値が存在しなければ、関連ＳＮＲを計算しない。
【００７７】
最終的には、該ＰＲＡＣＨ信号のピークＳＮＲを取得する。
【００７８】
予め設定されたピーク閾値は、実際の要求に応じて設定でき、ここでは制限しない。
【００７９】
ステップ２０６において、前記ＰＲＡＣＨ信号のピークＳＮＲが予め設定されたＳＮＲ閾値以上であるか否かを判断する。
【００８０】
基地局は、前記ＰＲＡＣＨ信号のピークＳＮＲが予め設定されたＳＮＲ閾値以上であるか否かを判断し、前記ＰＲＡＣＨ信号のピークＳＮＲが前記予め設定されたＳＮＲ閾値以上であれば、ステップ２０７を実行し、前記ＰＲＡＣＨ信号のピークＳＮＲが前記予め設定されたＳＮＲ閾値よりも小さければ、ステップ２０８を実行する。
【００８１】
ステップ２０７において、前記ＰＲＡＣＨ信号が正常信号であると確定し、前記検出結果が非誤検出であると確定し、前記非誤検出の検出結果をメッセージにパッケージし、下りチャネルを介してブロードキャスト送信を行う。
【００８２】
基地局は、前記ＰＲＡＣＨ信号が正常信号であると確定し、前記検出結果が非誤検出であると確定し、前記非誤検出の検出結果をメッセージにパッケージし、下りチャネルを介してブロードキャスト送信を行い、該ＰＲＡＣＨ信号を送信したＵＥは、該メッセージをセンシングすると、プロトコルのフローに従って後のアクセスフローを続行し、すなわち、基地局は、正常通信のために、該ＵＥに上り帯域を割り当てる。
【００８３】
ステップ２０８において、前記ＰＲＡＣＨ信号が干渉信号であると確定し、検出結果が誤検出であると確定し、前記誤検出の検出結果をサーバに報告する。
【００８４】
基地局は、前記ＰＲＡＣＨ信号が干渉信号であると確定し、検出結果が誤検出であると確定し、前記誤検出の検出結果をサーバに報告し、サーバによって誤検出の検出結果を統計することで、基地局システムのＰＲＡＣＨ信号の干渉レベルを反映する。
【００８５】
本開示の実施例に係る干渉による誤検出を識別する検出方法は、基地局が物理ランダムアクセスチャネルＰＲＡＣＨに第１マザーコードセット、第２マザーコードセット、および予め設定された信号対雑音比ＳＮＲ閾値を設定することにより、前記第１マザーコードセットをＵＥに送信し、前記ＵＥから送信されたＰＲＡＣＨ信号を受信し、前記ＰＲＡＣＨ信号が有効なＰＲＡＣＨ信号であるか否かを判断し、無効なＰＲＡＣＨ信号であれば、現在の処理フローを終了し、次の処理タスクを開始し、有効なＰＲＡＣＨ信号であれば、前記ＰＲＡＣＨ信号および前記第２マザーコードセットを検出し、予め設定されたピーク閾値よりも大きい値に対応するＰＲＡＣＨ信号のピークの信号対雑音比ＳＮＲを取得する。前記ＰＲＡＣＨ信号のピークＳＮＲが予め設定されたＳＮＲ閾値以上であるか否かを判断し、ＳＮＲ閾値以上であれば、前記ＰＲＡＣＨ信号が正常信号であると確定し、検出結果が非誤検出であると確定し、前記非誤検出の検出結果をメッセージにパッケージし、下りチャネルを介してブロードキャスト送信を行い、ＳＮＲ閾値よりも小さければ、前記ＰＲＡＣＨ信号が干渉信号であると確定し、検出結果が誤検出であると確定し、前記誤検出の検出結果をサーバに報告する。関連技術と比べ、本開示は、配置されていないマザーコードおよび受信されたＰＲＡＣＨ信号を検出することにより、誤検出であるか否かを判断し、ランダムアクセスプリアンブル系列の間の関連性が低く、干渉と複数のランダムアクセスプリアンブル系列との関連性が高いという方式によって干渉による誤検出を識別し、ＰＲＡＣＨ信号のピークＳＮＲの検出閾値を上げる必要がなく、干渉による誤検出をある程度抑制でき、ＵＥのアクセスの成功率を効果的に向上させ、上り帯域の無駄遣いを回避し、システム容量を節約することができる。
【００８６】
上記実施例の基に、シーンでの適用を例として説明する。
【００８７】
シーン１
Ａサイトに第１マザーコードセット｛４３６，４３７，４３８｝、第２マザーコードセット｛１４，２２，２１０，５４８，６２７｝を設定し、予め設定された閾値が−１３ｄｂである。
【００８８】
図５は、本開示の干渉による誤検出を識別する検出方法のシーン１のデータ図１であり、該サイトで、周波数領域から干渉信号による誤検出が観察可能なＰＲＡＣＨ信号を収集し、図５のＰＲＡＣＨ信号誤検出データの周波数領域アンテナデータ図に示すように、横座標は周波数領域信号のサンプリング点であり、縦座標は電力ｄｂ値である。
【００８９】
図６は、本開示の干渉による誤検出を識別する検出方法のシーン１のデータ図２であり、該Ａサイトで、基地局は、事前に設定された第１マザーコードマザーコードセット｛４３６，４３７，４３８｝を用いてＰＲＡＣＨ信号と関連検出を行い、ＰＲＡＣＨ信号が２つのピークを有することが得られ、ここで、一方のピークＳＮＲ＝−１３．５ｄｂであり、他方のピークＳＮＲ＝−１７ｄｂである。図６のピーク図に示すように、横座標はピーク系列点であり、縦座標は電力線形値である。
【００９０】
図７ａは、本開示の干渉による誤検出を識別する検出方法のシーン１のデータ図３であり、図７ｂは、本開示の干渉による誤検出を識別する検出方法のシーン１のデータ図４であり、図７ｃは、本開示の干渉による誤検出を識別する検出方法のシーン１のデータ図５である。
【００９１】
該Ａサイトで、基地局は、事前に設定された第２マザーコードセット｛１４，２２，２１０，５４８，６２７｝を用いて該ＰＲＡＣＨ信号と関連検出を行い、該ＰＲＡＣＨ信号のピークＳＮＲを計算し、最終的に、第２マザーコードセットにおけるマザーコード２２、２１０、５４８がいずれも該ＰＲＡＣＨ信号の２つのピークＳＮＲを検出でき、この２つのピークＳＮＲが−１７ｄｂ程度であることが得られる。図７ａの干渉信号を有するＰＲＡＣＨ信号およびマザーコード２２のピークの結果の図、図７ｂの干渉信号を有するＰＲＡＣＨ信号およびマザーコード２１０のピークの結果の図、図７ｃの干渉信号を有するＰＲＡＣＨ信号およびマザーコード５４８のピークの結果の図に示すように、横座標はピーク系列点であり、縦座標は電力線形値である。
【００９２】
最終的には、基地局の第１マザーコードセットによって検出されたＰＲＡＣＨ信号のピークが、第２マザーコードセットによっても検出でき、且つ、検出されたピークＳＮＲが予め設定された閾値−１３ｄｂを超えないため、基地局は、検出された２つのピークがいずれも誤検出であると判断できる。
【００９３】
シーン２
Ｂサイトに第１マザーコードセット｛４３６，４３７，４３８｝、第２マザーコードセット｛１４，２２，３０，５４８，６２７｝を設定し、予め設定された閾値が−１３ｄｂである。
【００９４】
図８は、本開示の干渉による誤検出を識別する検出方法のシーン２のデータ図であり、Ｂサイトで、ピークが検出可能なＰＲＡＣＨ信号を収集し、図８のＰＲＡＣＨ信号がピークを検出した結果の図に示すように、横座標はピーク系列点であり、縦座標は電力線形値であり、該フレームデータは２つのプリアンブル（Ｐｒｅａｍｂｌｅ）を検出し、該Ｂサイトで、基地局は、事前に設定された第１マザーコードマザーコードセット｛４３６，４３７，４３８｝を用いてこの２つのプリアンブルと関連検出を行い、この２つのプリアンブルのＳＮＲがそれぞれ−１７ｄｂおよび−８．２５ｄｂであることが得られる。
【００９５】
その後、該Ｂサイトで、基地局は、事前に設定された第２マザーコードセット｛１４，２２，３０，５４８，６２７｝を用いて該フレームデータと関連検出を行い、最終的に、該フレームデータのＰＲＡＣＨ信号のピークが検出できないため、基地局は、検出された２つのプリアンブルが干渉による誤検出ではないと判定できる。
【００９６】
図９は、本開示の装置の実施例の構造模式図であり、図９に示すように、本開示の実施例に係る装置０９は、設定モジュール９１と、送受信モジュール９２と、検出モジュール９３と、確定モジュール９４とを備える。
【００９７】
前記設定モジュール９１は、物理ランダムアクセスチャネルＰＲＡＣＨに第１マザーコードセット、第２マザーコードセット、および信号対雑音比ＳＮＲ閾値を設定するように構成される。
【００９８】
前記送受信モジュール９２は、前記第１マザーコードセットをユーザ機器ＵＥに送信し、前記ＵＥから送信されたＰＲＡＣＨ信号を受信するように構成される。
【００９９】
前記検出モジュール９３は、前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得するように構成される。
【０１００】
前記確定モジュール９４は、前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定するように構成される。
【０１０１】
前記第１マザーコードセットは、マザーコード系列におけるＮ個のマザーコードを含んでもよく、前記第２マザーコードセットは、前記マザーコード系列における、前記Ｎ個のマザーコード以外の他のＭ個のマザーコードを含んでもよく、前記ＮはＭよりも小さく、前記Ｎ、Ｍは自然数である。
【０１０２】
前記確定モジュール９４は、前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定し、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定するように構成されてもよい。
【０１０３】
前記送受信モジュール９２は、更に、検出結果が誤検出であると確定し、前記誤検出の検出結果をサーバに報告するように構成されてもよい。
【０１０４】
前記送受信モジュール９２は、更に、検出結果が非誤検出であると確定し、前記非誤検出の検出結果をメッセージにパッケージし、下りチャネルを介してブロードキャスト送信を行うように構成されてもよい。
【０１０５】
前記装置は判断モジュール９５を更に備えてもよい。
【０１０６】
前記判断モジュール９５は、前記ＰＲＡＣＨ信号と前記第１マザーコードセットとの関連検出を行い、第１時間領域関連値系列を取得し、前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定するように構成される。
【０１０７】
前記判断モジュール９５は、更に、前記ＰＲＡＣＨ信号と前記第２マザーコードセットとの関連検出を行い、第２時間領域関連値系列を取得し、前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出するように構成されてもよい。
【０１０８】
前記設定モジュール９１は、Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定し、
現在のセルに隣接するＫ−１個のセルの第１マザーコードセットの集合に基づき、前記現在のセルに対応する第２マザーコードセットを取得するように構成されてもよい。
Ｋは３以上の正整数である。
【０１０９】
前記設定モジュールは、予め設定された時間帯内で前記ＰＲＡＣＨのマザーコード系列に基づいて第１マザーコードセットおよび第２マザーコードセットをランダムに設定するように構成されてもよい。
【０１１０】
本実施例の装置は、上記に示す方法の実施例の技術案を実行するように構成されてもよく、その実現形態および技術的効果は類似し、ここでは説明を省略する。
【０１１１】
実際の応用において、前記設定モジュール９１、送受信モジュール９２、検出モジュール９３、確定モジュール９４、判断モジュール９５は、いずれも装置０９内に位置する中央処理装置（Ｃｅｎｔｒａｌ  Ｐｒｏｃｅｓｓｉｎｇ  Ｕｎｉｔ、ＣＰＵ）、マイクロプロセッサ（Ｍｉｃｒｏ  Ｐｒｏｃｅｓｓｏｒ  Ｕｎｉｔ、ＭＰＵ）、デジタル信号処理装置（Ｄｉｇｉｔａｌ  Ｓｉｇｎａｌ  Ｐｒｏｃｅｓｓｏｒ、ＤＳＰ）またはフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）等によって実現され得る。
【０１１２】
図１０は、本開示の基地局の実施例の構造模式図であり、図１０に示すように、本開示の実施例に係る基地局０１０は、インターフェース１０１と、バス１０２と、メモリ１０３と、プロセッサ１０４とを備え、前記インターフェース１０１、メモリ１０３および前記プロセッサ１０４は、前記バス１０２を介して接続され、前記メモリ１０３は命令を記憶するように構成され、前記プロセッサ１０４は、前記命令を読み取ることにより、
物理ランダムアクセスチャネルＰＲＡＣＨに第１マザーコードセット、第２マザーコードセット、および信号対雑音比ＳＮＲ閾値を設定し、
前記第１マザーコードセットをユーザ機器ＵＥに送信し、前記ＵＥから送信されたＰＲＡＣＨ信号を受信し、
前記第１マザーコードセットに基づいて前記ＰＲＡＣＨ信号が有効なＰＲＡＣＨ信号であると確定した場合、前記ＰＲＡＣＨ信号および前記第２マザーコードセットを検出し、予め設定されたピーク閾値よりも大きい値に対応するＰＲＡＣＨ信号のピークＳＮＲを取得し、
前記ＰＲＡＣＨ信号のピークＳＮＲおよび前記予め設定されたＳＮＲ閾値に基づき、前記ＰＲＡＣＨ信号が誤検出を引き起こす干渉信号であるか否かを確定する。
【０１１３】
前記第１マザーコードセットは、マザーコード系列におけるＮ個のマザーコードを含んでもよく、前記第２マザーコードセットは、前記マザーコード系列における、前記Ｎ個のマザーコード以外の他のＭ個のマザーコードを含んでもよく、前記ＮはＭよりも小さく、前記Ｎ、Ｍは自然数である。
【０１１４】
前記プロセッサ１０４は、前記命令を読み取ることにより、
前記ＰＲＡＣＨ信号のピークＳＮＲが前記予め設定されたＳＮＲ閾値以上であるか否かを判断し、前記ＰＲＡＣＨ信号のピークＳＮＲが前記予め設定されたＳＮＲ閾値以上であれば、前記ＰＲＡＣＨ信号が正常信号であると確定し、
前記ＰＲＡＣＨ信号のピークＳＮＲが前記予め設定されたＳＮＲ閾値よりも小さければ、前記ＰＲＡＣＨ信号が誤検出を引き起こす干渉信号であると確定する。
【０１１５】
前記プロセッサ１０４は、更に前記命令を読み取ることにより、
検出結果が誤検出であると確定し、前記誤検出の検出結果をサーバに報告する。
【０１１６】
前記プロセッサ１０４は、更に前記命令を読み取ることにより、
検出結果が非誤検出であると確定し、前記非誤検出の検出結果をメッセージにパッケージし、下りチャネルを介してブロードキャスト送信を行う。
【０１１７】
前記プロセッサ１０４は、前記命令を読み取ることにより、
前記ＰＲＡＣＨ信号と前記第１マザーコードセットとの関連検出を行い、第１時間領域関連値系列を取得し、
前記第１時間領域関連値系列における各関連値を、それぞれ前記予め設定されたピーク閾値と比較し、前記第１時間領域関連値系列に前記予め設定されたピーク閾値よりも大きい関連値が存在するか否かを判断し、前記第１時間領域関連値系列に前記予め設定されたピーク閾値よりも大きい関連値が存在すれば、前記ＰＲＡＣＨ信号が有効なＰＲＡＣＨ信号であると確定する。
【０１１８】
前記プロセッサ１０４は、更に前記命令を読み取ることにより、
前記ＰＲＡＣＨ信号と前記第２マザーコードセットとの関連検出を行い、第２時間領域関連値系列を取得し、
前記第２時間領域関連値系列における各関連値を、それぞれ前記予め設定されたピーク閾値と比較し、前記第２時間領域関連値系列に前記予め設定されたピーク閾値よりも大きい関連値が存在するか否かを判断し、前記第２時間領域関連値系列に前記予め設定されたピーク閾値よりも大きい関連値が存在すれば、前記予め設定されたピーク閾値よりも大きい関連値に対応するＰＲＡＣＨ信号のピークＳＮＲを算出する。
【０１１９】
前記プロセッサ１０４は、前記命令を読み取ることにより、
Ｋ個のセルを同一周波数でネットワーク構築した条件で、前記ＰＲＡＣＨのマザーコード系列に基づき、重複したマザーコードが含まれていない前記Ｋ個のセルの第１マザーコードセットを設定し、
現在のセルに隣接するＫ−１個のセルの第１マザーコードセットの集合に基づき、前記現在のセルに対応する第２マザーコードセットを取得し、
Ｋは３以上の正整数である。
【０１２０】
前記プロセッサ１０４は、前記命令を読み取ることにより、
予め設定された時間帯内で前記ＰＲＡＣＨに第１マザーコードセットおよび第２マザーコードセットをランダムに設定する。
【０１２１】
本実施例の干渉信号の検出基地局は、上記に示す方法の実施例の技術案を実行するように構成されてもよく、その実現形態および技術的効果は類似し、ここでは説明を省略する。
【０１２２】
また、本開示の実施例は、プロセッサによって実行されると、装置に適用される上記干渉による誤検出を識別する検出方法を実現するコンピュータ実行可能な命令が記憶されたコンピュータ可読記憶媒体を更に提供する。
【０１２３】
本開示の実施例は、プロセッサによって実行されると、基地局に適用される上記干渉による誤検出を識別する検出方法を実現するコンピュータ実行可能な命令が記憶されたコンピュータ可読記憶媒体を更に提供する。
【０１２４】
前記コンピュータ可読記憶媒体は、一時的コンピュータ可読記憶媒体であってもよく、非一時的コンピュータ可読記憶媒体であってもよい。
【０１２５】
当業者であれば、本開示の実施例は、方法、システム、またはコンピュータプログラム製品として提供され得ることが理解されるべきである。そのため、本開示は、ハードウェア実施例、ソフトウェア実施例、またはソフトウェアおよびハードウェアを組み合わせた実施例の形式を採用することができる。更に、本開示は、１つまたは複数のその中にコンピュータ使用可能プログラムコードが含まれるコンピュータ使用可能記憶媒体（磁気ディスクメモリおよび光学的メモリ等を含んでもよいが、それらに限定されない）で実施されるコンピュータプログラム製品の形式を採用してもよい。
【０１２６】
本開示は、本開示の実施例による方法、機器（システム）、およびコンピュータプログラム製品のフローチャートおよび／またはブロック図を参照して説明したものである。コンピュータプログラム命令によってフローチャートおよび／またはブロック図における各フローおよび／またはブロック、およびフローチャートおよび／またはブロック図におけるフローおよび／またはブロックの組み合わせを実現できることが理解されるべきである。これらのコンピュータプログラム命令を汎用コンピュータ、専用コンピュータ、嵌め込み式プロセッサまたは他のプログラマブルデータ処理装置のプロセッサに提供して１つのマシンを発生することができ、これにより、コンピュータまたは他のプログラマブルデータ処理装置のプロセッサによって実行される命令は、フローチャートの１つのフローまたは複数のフロー、および／またはブロック図の１つのブロックまたは複数のブロックにおいて指定された機構を実現するための装置を発生する。
【０１２７】
これらのコンピュータプログラム命令は、コンピュータまたは他のプログラマブルデータ処理装置を特定の方式で動作するように導き可能なコンピュータ可読メモリに記憶されてもよく、これにより、該コンピュータ可読メモリに記憶された命令は、フローチャートの１つのフローまたは複数のフロー、および／またはブロック図の１つのブロックまたは複数のブロックにおいて指定された機能を実現する指令装置を含む製造品を発生する。
【０１２８】
これらのコンピュータプログラム命令は、コンピュータまたは他のプログラマブルデータ処理装置にロードされてもよく、コンピュータまたは他のプログラマブルデバイスで一連の操作ステップを実行することでコンピュータによって実現される処理を生成し、それにより、コンピュータまたは他のプログラマブルデバイスで実行される命令は、フローチャートの１つのフローまたは複数のフロー、および／またはブロック図の１つのブロックまたは複数のブロックにおいて指定された機能を実現するためのステップを提供する。
【０１２９】
上述は、本開示の実施例に過ぎず、本開示の保護範囲を限定するものではない。
【０１３０】
本発明において、「備える」、「含む」という用語、または任意の他の変形は、非排他的な包含を含むことを意図し、一連の要素を含むプロセス、方法、物品または装置は、それらの要素を含むだけでなく、明確に列挙されていない他の要素も更に含み、あるいは、このようなプロセス、方法、物品または装置に固有される要素も含む。これ以上の限定がない限り、「１つの……を含む」という語句によって限定された要素は、該要素を含むプロセス、方法、物品または装置に他の同じ要素が存在することを除外しない。
【０１３１】
上記本開示の実施例の番号は説明するためのものに過ぎず、実施例の優劣を表さない。
【０１３２】
以上の実施形態の説明により、当業者は、上記実施例の方法が、ソフトウェアに必要な汎用ハードウェアプラットフォームを追加する方式で実現でき、もちろん、ハードウェアによっても実現できることを明らかに理解できる。このような理解に基づき、本開示の技術案は、本質的に、または関連技術に貢献する部分が、ソフトウェア製品の形式で具現化でき、該コンピュータソフトウェア製品は１つの記憶媒体（例えば、ＲＯＭ／ＲＡＭ、磁気ディスク、光ディスク）に記憶され、１台の端末装置（携帯電話、コンピュータ、サーバ、空調機、またはネットワーク装置等）が本開示の各実施例に記載の方法を実行するための複数の命令を含む。
【０１３３】
以上は本開示の実施例に過ぎず、本開示の特許範囲を制限するものではなく、本開示の明細書および図面の内容を用いてなる等価な構造または等価なフローの変換、あるいは他の関連する技術分野における直接的または間接的な使用は、いずれも同様に本開示の特許の保護範囲内に含まれる。
【産業上の利用可能性】
【０１３４】
本出願に係る干渉による誤検出を識別する検出方法、装置および基地局は、ＰＲＡＣＨ検出の閾値を上げる必要がなく、干渉による誤検出をある程度抑制でき、誤検出を低減するとともに、ユーザのアクセス成功率を低減しないことを確保する。
【図１】
0006790277.tif 000004
【図２】
0006790277.tif 000005
【図３】
0006790277.tif 000006
【図４】
0006790277.tif 000007
【図５】
0006790277.tif 000008
【図６】
0006790277.tif 000009
【図７ａ】
0006790277.tif 000010
【図７ｂ】
0006790277.tif 000011
【図７ｃ】
0006790277.tif 000012
【図８】
0006790277.tif 000013
【図９】
0006790277.tif 000014
【図１０】
0006790277.tif 000015